(57)【特許請求の範囲】
【請求項１】
経腸・経管系ラインまたは排液・灌流ラインを構成するチューブに接続して使用されるカテーテルチップの先端部に着脱自在に装着される導液具であって、
前記カテーテルチップの先端部に嵌合可能なハブと、
前記ハブの先端部に設けられ、その外径が前記カテーテルチップの先端外径より細径である管体とを有し、
前記管体は、その先端に針先を有する針管であり、
前記針先は、その先端が閉塞し、該針先の軸を介してほぼ対向して設置された一対の側孔を有し、
前記一対の側孔は、一方の開口面積が他方の開口面積より小さくなるよう形成されており、
前記ハブは、その内径が基端に向かって漸増する嵌合部を有し、
前記嵌合部は、その内径（平均）が５〜７ｍｍであり、その内面の傾斜角度が２．５〜７．５°であることを特徴とする導液具。
【請求項２】
前記一対の側孔のいずれか一方は、前記針先の先端付近まで達するよう形成されている請求項１に記載の導液具。
【請求項３】
前記開口面積の小さい側孔の軸方向の中心は、前記開口面積の大きい側孔の軸方向の中心より、前記針先の先端側に位置している請求項１に記載の導液具。
【請求項４】
前記嵌合部は、少なくともその内周面付近が弾性材料で構成されている請求項１ないし３のいずれかに記載の導液具。
【請求項５】
前記ハブは、その外周部に、リング状に突出して形成されたフランジ部を有する請求項１ないし４のいずれかに記載の導液具。
【請求項６】
前記管体は、熱可塑性樹脂で構成されている請求項１ないし５のいずれかに記載の導液具。
【請求項７】
前記熱可塑性樹脂は、２３℃での曲げ弾性率が２Ｇｐａ以上である請求項６に記載の導液具。
【発明の詳細な説明】
【０００１】
【発明の属する技術分野】
本発明は、カテーテルチップに装着して使用される導液具に関する。
【０００２】
【従来の技術】
入院中の患者や手術中の患者には、例えば、静注ライン、点滴静注ライン、中心静脈栄養ライン等の血管系ラインを構成するチューブが血管に挿入され、このチューブを介して薬液（薬剤）が体内に注入される。また、例えば経口栄養ライン、経腸栄養ライン等の経腸・経管系ラインを構成するチューブが消化管等に挿入され、このチューブを介して栄養剤や薬液（薬剤）が体内に注入される。さらに、導尿やドレーン等の排液・灌流ラインを構成するチューブが尿道等の体内に挿入され、このチューブを介して洗浄液や薬剤が注入され、また、排液等が行なわれる。
【０００３】
誤って、血管系ラインに、経腸・経管系ラインに注入されるような、栄養剤や薬液が投与されることがあってはならない。
【０００４】
このため、経腸・経管系ラインに栄養剤や薬液を投与する際には、血管系ラインを構成するチューブの端部に接続できないように、先端外径を太径とした、いわゆるカテーテルチップと呼ばれるものを先端部に備えるシリンジ（以下、「カテーテルチップ付きシリンジ」と言う。）が用いられる。
【０００５】
なお、これに対応して、経腸・経管系ラインを構成するチューブでは、カテーテルチップが接続可能なように、その端部の内径が血管系ラインのそれより大きく設定されたものが用いられる。
【０００６】
ところが、このようなカテーテルチップ付きシリンジでは、カテーテルチップを太径としたが故に、例えばアンプル等の比較的開口径の小さな容器から、直接、シリンジ内へ栄養剤や薬液を吸引（採取）できない。
【０００７】
また、カテーテルチップの先端面は、平坦面を構成しているため、例えばバイアル等の容器の開口に設けられた栓体を刺通できず、やはり、カテーテルチップ付きシリンジでは、直接、シリンジ内へ栄養剤や薬液を吸引（採取）できない。
【０００８】
このようなことから、カテーテルチップ付きシリンジでは、シリンジ内に栄養剤や薬液を収納する場合、例えば、一旦、適当なサイズの容器、すなわち、開口径がカテーテルチップの外径よりも大きな容器（例えば、ビーカー等）に栄養剤や薬液を移し換えた後、この容器から栄養剤や薬液を吸引する操作等を行う必要があり、その操作は、非常に煩雑で、時間を要するものである。また、栄養剤や薬液の細菌等による汚染も危惧される。
【０００９】
【発明が解決しようとする課題】
本発明の目的は、例えばバイアルやアンプル等の投与液収納容器内から、直接、カテーテルチップを備える器具（例えば、シリンジ等）内に投与液を吸引（採取）すること、さらに、この操作を容易かつ確実に行うことができる導液具を提供することにある。
【００１０】
【課題を解決するための手段】
このような目的は、下記（１）〜（７）の本発明により達成される。
【００１１】
（１）  経腸・経管系ラインまたは排液・灌流ラインを構成するチューブに接続して使用されるカテーテルチップの先端部に着脱自在に装着される導液具であって、
前記カテーテルチップの先端部に嵌合可能なハブと、
前記ハブの先端部に設けられ、その外径が前記カテーテルチップの先端外径より細径である管体とを有し、
前記管体は、その先端に針先を有する針管であり、
前記針先は、その先端が閉塞し、該針先の軸を介してほぼ対向して設置された一対の側孔を有し、
前記一対の側孔は、一方の開口面積が他方の開口面積より小さくなるよう形成されており、
前記ハブは、その内径が基端に向かって漸増する嵌合部を有し、
前記嵌合部は、その内径（平均）が５〜７ｍｍであり、その内面の傾斜角度が２．５〜７．５°であることを特徴とする導液具。
【００１６】
（２）  前記一対の側孔のいずれか一方は、前記針先の先端付近まで達するよう形成されている上記（１）に記載の導液具。
【００１８】
（３）  前記開口面積の小さい側孔の軸方向の中心は、前記開口面積の大きい側孔の軸方向の中心より、前記針先の先端側に位置している上記（１）に記載の導液具。
【００２５】
（４）  前記嵌合部は、少なくともその内周面付近が弾性材料で構成されている上記（１）ないし（３）のいずれかに記載の導液具。
【００２６】
（５）  前記ハブは、その外周部に、リング状に突出して形成されたフランジ部を有する上記（１）ないし（４）のいずれかに記載の導液具。
【００２７】
（６）  前記管体は、熱可塑性樹脂で構成されている上記（１）ないし（５）のいずれかに記載の導液具。
【００２８】
（７）  前記熱可塑性樹脂は、２３℃での曲げ弾性率が２Ｇｐａ以上である上記（６）に記載の導液具。
【００２９】
【発明の実施の形態】
以下、本発明の導液具を添付図面に示す好適な実施形態に基づいて詳細に説明する。
【００３０】
まず、本発明の導液具を説明する前に、本発明の導液具を装着して使用するカテーテルチップを備える器具の一例について、カテーテルチップを備えるシリンジ（以下、「カテーテルチップ付きシリンジ」と言う。）を代表に説明する。
【００３１】
図１は、カテーテルチップ付きシリンジの半断面図である。なお、以下の説明では、図１中の上側を「基端」、下側を「先端」と言う。
【００３２】
図１に示すようにカテーテルチップ付きシリンジ１００は、シリンジ２００と、このシリンジ２００の先端部に固定されたカテーテルチップ３００とを有している。
【００３３】
このカテーテルチップ付きシリンジ１００は、例えば経口栄養ライン、経腸栄養ライン等の経腸・経管系ラインや導尿、ドレーン等の排液・灌流ラインに使用される、例えば、外用剤、経口栄養剤、経腸栄養剤、消毒液等（以下、これらを総称して「投与液」と言う。）を収納するものである。
【００３４】
以下、各部の構成について説明する。
シリンジ２００は、外筒（シリンジ外筒）２１０と、外筒２１０内で液密に摺動し得るガスケット２２０と、ガスケット２２０に連結され、ガスケット２２０を外筒２１０内で移動操作するプランジャ（押し子）２３０とを備えている。
【００３５】
外筒２１０は、底部２１１を有する有底筒状の部材で構成されている。この底部２１１には、その中央部に外筒２１０の胴部より縮径した内管２１２と、この内管２１２と同心的に設けられた筒状の外管２１３とが、外筒２１０と一体的に形成されている。また、外管２１３の内周面には、雌螺子２１３ａが形成されている。
【００３６】
また、外筒２１０の基端外周には、板状のフランジ２１４が一体的に形成されている。プランジャ２３０を外筒２１０に対し相対的に移動操作する際などには、このフランジ２１４に指を掛けて操作を行うことができる。
【００３７】
外筒２１０および後述するプランジャ２３０の構成材料としては、それぞれ、例えば、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であるという点で、ポリプロピレン、ポリエステル、ポリ−（４−メチルペンテン−１）のような樹脂が挙げられる。
【００３８】
なお、外筒２１０の構成材料は、内部の視認性を確保するために、実質的に透明であるのが好ましい。
【００３９】
また、外筒２１０と後述するガスケット２２０とで囲まれる部分には、空間２１５が形成されている。
【００４０】
外筒２１０内には、弾性材料で構成されたガスケット２２０が収納されている。ガスケット２２０は、中空部２２１を有し、後述するプランジャ２３０の操作により、外筒２１０内で、外筒２１０の長手方向に摺動することができる。
【００４１】
ガスケット２２０の外周部には、一対のリング状の突部２２２が軸方向に所定間隔おいて形成されている。この突部２２２が外筒２１０の内周面２１６に対し密着しつつ摺動することで、液密性をより確実に保持するとともに、摺動性の向上が図れる。
【００４２】
ガスケット２２０の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００４３】
このようなガスケット２２０には、ガスケット２２０を外筒２１０内で長手方向に移動操作するプランジャ２３０が連結されている。
【００４４】
プランジャ２３０は、主に、横断面が十文字状の板片で構成され、その先端側には、板部材２３１が一体的に形成されている。また、プランジャ２３０の基端には、板状のフランジ２３２が一体的に形成されている。このフランジ２３２に指等を掛けてプランジャ２３０を操作する。
【００４５】
また、プランジャ２３０の先端部には、ガスケット２２０の中空部２２１内に挿入、嵌合されるきのこ状のヘッド部（連結部）２３３が形成されている。
【００４６】
プランジャ２３０を基端方向に向かって移動すると（引くと）、ガスケット２２０は、基端方向へ移動し、空間２１５の容積が増大する。これにより、空間２１５内に、後述のカテーテルチップ３００の通路３１０を介して前記の投与液を吸引（採取）することができる。また、この状態から、プランジャ２３０を先端方向に向かって移動すると（押すと）、ガスケット２２０は、先端方向へ移動し、空間２１５の容積が減少し、空間２１５内の投与液が排出される。
【００４７】
カテーテルチップ３００は、ほぼ筒状の部材で構成され、その内部には、カテーテルチップ３００の全長に渡って通路（流路）３１０が形成されている。この通路３１０の基端部には、内管２１２が嵌合する。
【００４８】
また、カテーテルチップ３００の基端部には、その外周面に前記雌螺子２１３ａと螺合する雄螺子３２０が形成されている。
【００４９】
この雄螺子３２０と雌螺子２１３ａが螺合し、さらに、例えば、融着（熱融着、高周波融着、超音波融着等）、接着剤による接着等することにより、カテーテルチップ３００がシリンジ２００に固着（固定）されている。
【００５０】
このカテーテルチップ３００がシリンジ２００に固着された状態で、通路３１０は、外筒２１０の内腔部（空間２１５）と連通する。
【００５１】
なお、カテーテルチップ３００は、外筒２１０と一体的に形成されていてもよい。
【００５２】
カテーテルチップ３００は、その先端外径が、例えば静注ライン、点滴静注ライン、中心静脈栄養ライン等の血管系ラインを構成するチューブの端部やコネクタ、その他カテーテルチップ付きシリンジ１００との接続に適さない医療具（接続不適合器具）に、接続できない程度の大きさに設定されている。これにより、誤って、血管系ラインを構成するチューブの端部等に、カテーテルチップ付きシリンジ１００が接続され、前記の投与液が投与されるのを防止している。
【００５３】
このカテーテルチップ３００の先端面３３０は、平坦面を構成している。
また、カテーテルチップ３００の外周面は、先端に向かって漸減するテーパ面を構成している。これにより、経腸・経管系ラインや排液・灌流ラインを構成するチューブの端部等に容易かつ確実に接続することができる。
【００５４】
このようなカテーテルチップ３００の構成材料としては、例えば、前述した外筒２１０およびプランジャ２３０で挙げた材料と同様のものを用いることができる。このカテーテルチップ３００は、内部（通路３１０）の視認性を確保するために、透明（無色透明）、着色透明または半透明とされているのが好ましい。
【００５５】
なお、カテーテルチップ３００の基端部に接続される器具としては、シリンジに限定されず、例えば、液体を吸引および／または排出することができる機能を有する器具であればいかなるものであってもよい。
【００５６】
さて、本発明の導液具は、このようなカテーテルチップ３００の先端部に装着して使用される。
【００５７】
＜第１実施形態＞
図２は、本発明の導液具の第１実施形態を示す縦断面図である。なお、以下の説明では、図２中の右側を「基端」、左側を「先端」と言う。
【００５８】
図２に示す導液具１は、チューブ（管体）２と、このチューブ２の基端部に固着（固定）されたハブ３とを備え、ハブ３をカテーテルチップ３００の先端部に嵌合して使用するものである。以下、各部の構成について説明する。
【００５９】
チューブ２は、可撓性を有する長尺の中空部材で構成され、先端には、先端開口２１を有している。
【００６０】
チューブ２の構成材料としては、特に限定されないが、例えば、エチレン−テトラフルオロエチレン共重合体（ＥＴＦＥ）、ポリウレタン、ポリエーテルナイロン樹脂等の各種軟質樹脂が好ましい。
【００６１】
このチューブ２は、その外径がカテーテルチップ３００の先端外径より小さく設定されている。具体的には、チューブ２の外径は、例えば、０．５〜３ｍｍ程度であるのが好ましく、１〜２ｍｍ程度であるのがより好ましい。チューブ２の外径を前記の範囲内とすることにより、例えばアンプルのような、カテーテルチップ３００を挿入することができないような比較的小さな開口径の投与液収納容器内に、チューブ２を挿入することができる。これにより、投与液収納容器内から投与液を、直接、導液具１を介してカテーテルチップ付きシリンジ１００のシリンジ２００（空間２１５）内に吸引（採取）することができるという利点がある。
【００６２】
また、チューブ２は、湾曲変形可能なので、曲がった所にも挿入することができる。
【００６３】
このチューブ２の基端部には、ハブ３が固着（固定）され、チューブ２の内腔とハブ３の内部とが連通している。このハブ３は、ほぼ筒状の部材で構成されている。
【００６４】
ハブ３とチューブ２との固着方法としては、例えば、融着（熱融着、高周波融着、超音波融着等）、接着剤による接着、カシメ等の方法が挙げられる。
【００６５】
このハブ３の基端側には、その内径が基端に向かって漸増する嵌合部３１が形成されている。この嵌合部３１には、カテーテルチップ３００の先端部が挿入され、嵌合する。
【００６６】
この嵌合部３１の寸法としては、特に限定されないが、例えば、次のように設定されているのが好ましい。
【００６７】
内径（平均）Ｄとしては、例えば、５〜７ｍｍ程度であるのが好ましく、５．５〜６．５ｍｍ程度であるのがより好ましい。
【００６８】
軸方向の長さＬとしては、例えば、６．５ｍｍ以上程度であるのが好ましく、１０〜３０ｍｍ程度であるのがより好ましい。
【００６９】
傾斜角度（図２中、中心軸９００と嵌合部３１の内面とのなす角度）θとしては、例えば、２．５〜７．５°程度であるのが好ましく、２．５〜３．５°程度であるのがより好ましい。
【００７０】
嵌合部３１の寸法を、それぞれ、前記の範囲内とすることにより、嵌合部３１をカテーテルチップ３００の先端部により確実に嵌合させることができ、また、導液具１のカテーテルチップ３００への着脱操作も容易に行える。
【００７１】
なお、図示の構成では、嵌合部３１には、その軸方向の全長に渡ってテーパ面が形成されているが、これに限らず、テーパ面は、例えば、嵌合部３１の軸方向の一部にのみ形成されていてもよい。
【００７２】
また、ハブ３の中央部付近の外周部には、リング状に突出したフランジ部３２が形成されている。例えば、カテーテルチップ３００に導液具１を装着する操作の際に、フランジ部３２に指を引っ掛けて行うことにより、この操作をより確実に行うことができる。
【００７３】
このようなハブ３の構成材料としては、特に限定されず、例えば、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレート、ポリブチレンテレフタレート等のポリエステル、アクリル系樹脂、ＡＢＳ樹脂、ＡＳ樹脂、アイオノマー、ポリアセタール、ポリフェニレンサルファイド、ポリエーテルエーテルケトン等の各種樹脂材料が挙げられる。
【００７４】
＜第２実施形態＞
次に、本発明の導液具の第２実施形態について説明する。
【００７５】
図３は、本発明の導液具の第２実施形態を示す縦断面図である。以下、図３に示す導液具１について、前記第１実施形態との相違点を中心に説明し、同様の事項については、その説明を省略する。なお、以下の説明では、図３中の右側を「基端」、左側を「先端」と言う。
【００７６】
第２実施形態の導液具１では、管体の構成が異なっている。すなわち、管体は、針管２ａで構成されている。
【００７７】
針管２ａは、針先２１ａを有する中空針であり、例えば、ステンレス鋼、アルミニウムまたはアルミニウム合金、チタンまたはチタン合金のような金属材料で構成されている。また、針先２１ａには、その先端に鋭利な刃面２２ａが形成されている。
【００７８】
この針管２ａは、例えば各種ゴム材料、各種エラストマーのような弾性材料で構成される栓体を刺通することができる。
【００７９】
このため、本実施形態の穿刺具１を用いることにより、例えばアンプルのような開口径が比較的小さな投与液収納容器内のみならず、例えばバイアルのような開口に前記のような栓体を備える投与液収納容器内からも、投与液を、直接、カテーテルチップ付きシリンジ１００のシリンジ２００（空間２１５）内に吸引（採取）することができる。
【００８０】
＜第３実施形態＞
次に、本発明の導液具の第３実施形態について説明する。
【００８１】
図４は、本発明の導液具の第３実施形態を示す平面図である。図５は、本発明の導液具の第３実施形態を示す縦断面図である。以下、図４および図５に示す導液具１について、前記第１および第２実施形態との相違点を中心に説明し、同様の事項については、その説明を省略する。なお、以下の説明では、図４および図５中の右側を「基端」、左側を「先端」と言う。
【００８２】
第３実施形態の導液具１では、管体の構成が異なっている。すなわち、管体は、先端が閉塞した針先２１ｂを有する針管２ｂで構成されている。
【００８３】
この針先２１ｂは、ほぼ円錐状に形成され、側面には、一対の側孔２２ｂ、２３ｂが形成されている。これらの側孔２２ｂ、２３ｂは、それぞれ、ほぼ長方形または長円形に形成され、図５に示すように中心軸９００（針先２１ｂの軸）を介してほぼ対向して（互いにほぼ反対側に）設置されている。
【００８４】
このように、針先２１ｂの先端を閉塞し、かつ、針先２１ｂに一対の側孔２２ｂ、２３ｂを設けたことにより、例えばバイアルのような投与液収納容器が備える栓体を刺通する際のコアリングを防止することができるとともに、針先２１ｂを鉛直上方に向けて前記投与液収納容器から投与液を吸引する際には、投与液収納容器内の投与液の残液量をより確実に少なくすることもできる。
【００８５】
針管２ｂの構成材料としては、特に限定されないが、前記第２実施形態の針管２ａの構成材料として挙げた金属材料の他、例えば、ポリエチレンテレフタレート、共重合ポリエチレンテレフタレート等のポリエステル、ポリアクリロニトリル、ポリメチルメタアクリレート、ポリメタアクリル酸等のアクリル樹脂、ポリプロピレン、ポリエチレン等のポリオレフィン、ポリ塩化ビニル、ナイロン等のポリアミド、ポリスチレン、ポリエチレンナフタレート、環状ポリオレフィン、ポリプロピレン、ポリスチレン、ポリメチルペンテン、ポリカーボネート、ポリスルホンのような熱可塑性樹脂を用いることができる。
【００８６】
この中でも、特に、針管２ｂの構成材料としては、熱可塑性樹脂を用いるのがより好ましい。熱可塑性樹脂を用いることにより、針管２ｂの形状選択の幅の拡大、廃棄の容易性という点において有利である。
【００８７】
また、針管２ｂの構成材料として熱可塑性樹脂を用いる場合、その２３℃での曲げ弾性率としては、特に限定されないが、例えば２ＧＰａ以上程度であるのが好ましく、２．５〜６．０ＧＰａ程度であるのがより好ましい。前記の範囲内の曲げ弾性率の熱可塑性樹脂を用いることにより、針管２ｂの強度を向上することができ、例えばバイアルのような投与液収納容器が備える栓体を刺通する際に、折れ、曲がり等の破損をより確実に防止することができる。
【００８８】
また、針管２ｂは、実質的に透明な樹脂や着色した樹脂等で構成してもよい。この場合、針管２ｂの構成材料として、実質的に透明な樹脂を用いると、針管２ｂ内への投与液の吸引状態を目視で確認することができ、また、着色した樹脂材料を用いると、投与液ごとに色分けした針管２ｂを使用することができるため、投与液の間違い（取り違え）を防止することができる。
【００８９】
さらに、第３実施形態の導液具１では、図５に示すように、ハブ３のフランジ部３２には、その外周部に側孔２２ｂ、２３ｂに対応した位置に、一対の溝３３、３４が形成されている。すなわち、溝３３と溝３４とは、中心軸９００（ハブ３の軸）を介してほぼ対向して設けられている。
【００９０】
針管２ｂを投与液収納容器内に挿入すると、側孔２２ｂおよび２３ｂの位置が外部から確認できなくなる場合がある。このような場合でも、溝３３と溝３４とを設けておくことにより、側孔２２ｂおよび２３ｂの投与液収納容器内での位置を容易に認識することができる。すなわち、これらの溝３３および溝３４は、側孔２２ｂおよび２３ｂを外部から認識するためのマーカーとして機能するものである。
【００９１】
なお、側孔の形状は、図示のものに限定されることはなく、その設置数も、２つに限定されず、少なくとも１つ形成されていればよい。
【００９２】
また、フランジ部３２に設けるマーカーとしては、側孔を外部から認識することができれば、溝に限定されるものではなく、例えば、フランジ部３２に着色を施すことによるものであってもよく、フランジ部３２に突起を設けたものであってもよい。
【００９３】
また、このような導液具１は、針管２ｂとハブ３とを一体的に形成したものであってもよい。
【００９４】
＜第４実施形態＞
次に、本発明の導液具の第４実施形態について説明する。
【００９５】
図６は、本発明の導液具の第４実施形態を示す縦断面図である。以下、図６に示す導液具１について、前記第１および第３実施形態との相違点を中心に説明し、同様の事項については、その説明を省略する。なお、以下の説明では、図６中の右側を「基端」、左側を「先端」と言う。
【００９６】
第４実施形態の導液具１では、側孔の形状が異なっている。すなわち、側孔２３ｂは、針先２１ｂの先端付近にまで達するよう形成されている。
【００９７】
これにより、例えば、アンプル等の投与液収納容器内から、針先２１ｂを鉛直下方に向けて投与液を吸引（採取）する際に、投与液収納容器を若干傾斜させ、側孔２３ｂを下方に位置させた状態で、導液具１を使用することにより、投与液収納容器内の投与液の残液量をより確実に減少させることができる。
【００９８】
また、溝３３、３４を区別できるようにしておくこともできる。これにより、側孔２２ｂ、２３ｂを区別して認識することができる。
【００９９】
＜第５実施形態＞
次に、本発明の導液具の第５実施形態について説明する。
【０１００】
図７は、本発明の導液具の第５実施形態を示す縦断面図である。以下、図７に示す導液具１について、前記第１、第３および第４実施形態との相違点を中心に説明し、同様の事項については、その説明を省略する。なお、以下の説明では、図７中の右側を「基端」、左側を「先端」と言う。
【０１０１】
第５実施形態の導液具１では、側孔の形状、大きさが異なっている。すなわち、側孔２２ｂの開口面積は、側孔２３ｂの開口面積より小さくなるように設定されている。
【０１０２】
また、側孔２２ｂと側孔２３ｂとは、その先端位置がそれぞれ針先２１ｂの軸方向においてほぼ一致している。一方、側孔２２ｂの基端は、針先２１ｂの軸方向において側孔２３ｂの基端より先端側に位置している。すなわち、側孔２２ｂの軸方向の中心は、側孔２３ｂの軸方向の中心より針先２１ｂの先端側に位置している。
【０１０３】
これにより、例えば、バイアル等の投与液収納容器が備える栓体（ゴム栓）に針先２１ｂを刺通して、針先２１ｂを鉛直上方に向けて前記投与液収納容器内から投与液を吸引（採取）する際に、投与液収納容器を若干傾斜させ、開口面積の小さい側孔２２ｂを上方に、開口面積の大きい側孔２３ｂを下方に位置させた状態で、導液具１を使用することにより、投与液収納容器内の投与液の残液量をより確実に減少させることができる。
【０１０４】
＜第６実施形態＞
次に、本発明の導液具の第６実施形態について説明する。
【０１０５】
図８は、本発明の導液具の第６実施形態の基端側の構成を示す縦断面図である。以下、図８に示す導液具１について、前記第１〜第５実施形態との相違点を中心に説明し、同様の事項については、その説明を省略する。なお、以下の説明では、図８中の右側を「基端」、左側を「先端」と言う。
【０１０６】
第６実施形態の導液具１では、嵌合部の構成が異なっている。すなわち、嵌合部３１は、その内周部に弾性層３５が形成されている。この弾性層３５は、嵌合部３１の内周面付近を弾性材料で構成することにより、設けられたものである。
【０１０７】
これにより、カテーテルチップ３００の先端側の形状、寸法（主に、外径）が若干異なる（例えば、カテーテルチップ３００の品種、製造元等が相違する）場合でも、嵌合部３１は、弾性層３５の厚さが変化することにより、その内径が変化して、カテーテルチップ３００をより確実に装着することができる。
【０１０８】
このような弾性層３５の構成材料としては、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の樹脂材料が挙げられる。
【０１０９】
なお、嵌合部３１は、その全体を前記の弾性材料で構成するようにしてもよい。
【０１１０】
以上、本発明の導液具を図示の各実施形態について説明したが、本発明は、これらに限定されるものではなく、導液具を構成する各部は、同様の機能を発揮し得る任意の構成のものと置換することができる。
【０１１１】
また、本発明の導液具は、前記第１〜第６実施形態のうちの、任意の２以上の構成を組み合わせたものであってもよい。
【０１１２】
なお、図示の各実施形態では、管体とハブとは、固着（固定）されていたが、管体とハブとは、着脱自在に構成されたものであってもよい。この場合、管体を適宜交換して、導液具を使用することもできる。
【０１１３】
【発明の効果】
以上述べたように、本発明によれば、例えばカテーテルチップが挿入できないような開口径が比較的小さい投与液収納容器内から、直接、カテーテルチップを備える器具（例えば、シリンジ等）内に投与液を吸引（採取）することができる。
【０１１４】
また、針先を設けた場合には、弾性材料で構成される栓体を刺通できるので、開口にかかる栓体を備える投与液収納容器内からも、直接、投与液を吸引することができる。
【０１１５】
また、針先の先端を閉塞し、側孔を設けた場合には、投与液収納容器内の残液量をより確実に減少させることができる。
【０１１６】
さらに、本発明によれば、このような操作を、容易かつ確実に行うことができる。
【図面の簡単な説明】
【図１】カテーテルチップ付きシリンジの半断面図である。
【図２】本発明の導液具の第１実施形態を示す縦断面図である。
【図３】本発明の導液具の第２実施形態を示す縦断面図である。
【図４】本発明の導液具の第３実施形態を示す平面図である。
【図５】本発明の導液具の第３実施形態を示す縦断面図である。
【図６】本発明の導液具の第４実施形態を示す縦断面図である。
【図７】本発明の導液具の第５実施形態を示す縦断面図である。
【図８】本発明の導液具の第６実施形態の基端側の構成を示す縦断面図である。
【符号の説明】
１            導液具
２            管体
２１          先端開口
２ａ          針管
２１ａ        針先
２２ａ        刃面
２ｂ          針管
２１ｂ        針先
２２ｂ、２３ｂ  側孔
３            ハブ
３１          嵌合部
３２          フランジ部
３３、３４    溝
３５          弾性層
１００        カテーテルチップ付きシリンジ
２００        シリンジ
２１０        外筒
２１１        底部
２１２        内管
２１３        外管
２１３ａ      雌螺子
２１４        フランジ
２１５        空間
２１６        内周面
２２０        ガスケット
２２１        中空部
２２２        突部
２３０        プランジャ
２３１        板部材
２３２        フランジ
２３３        ヘッド部
３００        カテーテルチップ
３１０        通路（流路）
３２０        雄螺子
３３０        先端面
９００        中心軸
【図１】
0004191371.tif 000002
【図２】
0004191371.tif 000003
【図３】
0004191371.tif 000004
【図４】
0004191371.tif 000005
【図５】
0004191371.tif 000006
【図６】
0004191371.tif 000007
【図７】
0004191371.tif 000008
【図８】
0004191371.tif 000009